(57)【要約】【課題】オーディオ再生機能を備える、無線制御の照明装置及び方法が提供される。【解決手段】当該無線制御の照明装置は、照明組み立て部品、オーディオ再生モジュール、前記照明組み立て部品及び前記オーディオ再生モジュールに接続する第一ブルートゥース・モジュール、及び前記オーディオ再生モジュールに接続する第二ブルートゥース・モジュールを含む。前記第一ブルートゥース・モジュールは、外部装置から制御信号を受信するように構成され、ここで当該制御信号は前記照明組み立て部品を制御するために用いられる第一制御信号及び前記オーディオ再生モジュールを制御するために用いられる第二制御信号を含む。前記第二ブルートゥース・モジュールは、前記オーディオ・データをオーディオ再生用のオーディオ再生モジュールに転送するために前記外部装置からオーディオ・データを受信するように構成される。【選択図】図１
2017513173.tif 000002
【特許請求の範囲】
【請求項１】
照明組み立て部品、
オーディオ再生モジュール、
前記照明組み立て部品と前記オーディオ再生モジュールとに接続される第一ブルートゥース・モジュールであって、当該第一ブルートゥース・モジュールが、外部装置から制御信号を受信するように構成され、ここで当該制御信号が、前記照明組み立て部品を制御するために用いられる第一制御信号と、前記オーディオ再生モジュールを制御するために用いられる第二制御信号とを含む、第一ブルートゥース・モジュール、及び
前記オーディオ再生モジュールに接続される第二ブルートゥース・モジュールであって、当該第二ブルートゥース・モジュールが、オーディオ再生用の前記オーディオ再生モジュールにオーディオ・データを伝送するために前記外部装置からの前記オーディオ・データを受信するように構成され、ここで前記オーディオ再生が、前記第一ブルートゥース・モジュールにより受信される第二制御信号にしたがって制御される、第二ブルートゥース・モジュール、
を含む、オーディオ再生機能を備える無線制御の照明装置。
【請求項２】
さらに、
前記第一ブルートゥース・モジュールに接続され、前記外部装置から前記制御信号を受信し、前記第一ブルートゥース・モジュールへ前記制御信号を伝送するように構成される第一ブルートゥース・アンテナ、及び
前記第二ブルートゥース・モジュールに接続され、前記外部装置から前記オーディオ・データを受信し、前記第二ブルートゥース・モジュールへ前記オーディオ・データを伝送するように構成される第二ブルートゥース・アンテナ
を含む、請求項１に記載の装置。
【請求項３】
さらに、
前記制御信号及び前記オーディオ・データを受信するように構成される第三ブルートゥース・アンテナ、及び
当該第三ブルートゥース・アンテナに接続される第一端子と、前記第一ブルートゥース・モジュールと第二ブルートゥース・モジュールとにそれぞれ接続される第二端子とを有するアンテナ・スイッチ・モジュールを含み、
ここで、当該アンテナ・スイッチ・モジュールが、前記第一ブルートゥース・モジュール及び前記第二ブルートゥース・モジュールのうちの１つを選択的に接続し、前記制御信号を前記第一ブルートゥース・モジュールに伝送し、前記オーディオ・データを前記第二ブルートゥース・モジュールに伝送するため前記第三ブルートゥース・アンテナを時間分割多重送信（time-division multiplexing）するために、前記第三ブルートゥース・アンテナに接続するように構成される、
請求項１に記載の装置。
【請求項４】
前記第一ブルートゥース・モジュールがブルートゥース低エネルギー（Bluetooth low energy：ＢＬＥ）モジュールである、請求項１に記載の装置。
【請求項５】
前記第二ブルートゥース・モジュールが先進オーディオ配信プロフィール（Advanced Audio Distribution Profile(A2DP)）ブルートゥース・モジュールである、請求項１に記載の装置。
【請求項６】
前記外部装置が、ブルートゥース・モジュールを備えるパーソナル・コンピュータ、ブルートゥース・モジュールを備えるモバイルフォン、ブルートゥース・モジュールを備えるオーディオ・プレーヤー、及びブルートゥース・モジュールを備えるタブレット・コンピュータのうちの１つである、請求項１に記載の装置。
【請求項７】
オーディオ再生機能を備える照明装置を無線制御するための方法であって、
第一ブルートゥース・モジュールにより、外部装置から制御信号を受信すること、ここで当該制御信号が照明組み立て部品を制御するために用いられる第一制御信号及びオーディオ再生モジュールを制御するために用いられる第二制御信号を含むこと、
前記第一ブルートゥース・モジュールにより、照明を制御するため前記照明組み立て部品に前記第一制御信号を伝送すること、
前記第一ブルートゥース・モジュールにより、前記第二制御信号を前記オーディオ再生モジュールに伝送すること、
第二ブルートゥース・モジュールにより、前記外部装置からオーディオ・データを受信すること、
前記第二ブルートゥース・モジュールにより、前記オーディオ・データを前記オーディオ再生モジュールに伝送すること、
前記第一制御信号にしたがって前記照明組み立て部品の照明を調整すること、及び
前記第二制御信号にしたがって前記オーディオ・データのオーディオ再生を制御すること、
を含む方法。
【請求項８】
さらに、
前記外部装置から第一ブルートゥース・アンテナを介して前記第一ブルートゥース・モジュールにより前記制御信号を受信すること、及び
第二ブルートゥース・アンテナを介して前記第二こと、
を含む、請求項７に記載の方法。
【請求項９】
さらに、
第三ブルートゥース・アンテナ及びアンテナ・スイッチ・モジュールを介して、前記制御信号及び前記オーディオ・データの1つを受信することであって、ここで前記アンテナ・スイッチ・モジュールは前記第三ブルートゥース・アンテナと接続する第一端子及び時間分割多重送信技術を用いて前記第一ブルートゥース・モジュール及び前記第二ブルートゥース・モジュールとそれぞれ接続する第二端子をもつこと、
を含む、請求項７に記載の方法。
【請求項１０】
前記第一ブルートゥース・モジュールがブルートゥース低エネルギー（Bluetooth low energy (BLE)）モジュールである、請求項７に記載の方法。
【請求項１１】
前記第二ブルートゥース・モジュールが先進オーディオ配信プロフィール（Advanced Audio Distribution Profile (A2DP)）ブルートゥース・モジュールである、請求項７に記載の方法。
【請求項１２】
前記外部装置が、ブルートゥース・モジュールを備えるパーソナル・コンピュータ、ブルートゥース・モジュールを備えるモバイルフォン、ブルートゥース・モジュールを備えるオーディオ・プレーヤー、及びブルートゥース・モジュールを備えるタブレット・コンピュータのうちの１つである、請求項７に記載の方法。
【発明の詳細な説明】
【技術分野】
【０００１】
この出願は、２０１４年９月３０日に出願された中国特許出願ＣＮ２０１４１０５２１９８２．９に基づく優先権を主張し、この出願全体の開示及び内容は本発明に参照により取り込まれる。
【０００２】
本願開示は、一般的に照明技術の分野に関し、特に、オーディオ再生機能（audio playing function）をもつ無線制御の照明装置及びオーディオ再生機能をもつ照明装置の無線制御方法に関する。
【背景技術】
【０００３】
現在、オーディオ再生機能をもつ、ＬＥＤ（発光ダイオード）装置のような発光装置は、ブルートゥース（Bluetooth）（登録商標）技術によりブルートゥース機能をもつユーザー装置により無線制御することができる。しかしながら、当該ユーザー装置はブルートゥース技術を介して照明装置の輝度を調整できるだけ、又はブルートゥース技術を介して音楽の再生を制御できるだけである。
【発明の概要】
【発明が解決しようとする課題】
【０００４】
現存の技術において上述の課題を解決する従来の解決手段は以下のものを含み得る。第一に、２．４Ｇ無線モジュールを照明装置に追加し、この２．４Ｇ無線モジュールを用いて輝度を制御するための特別な遠隔制御装置が提供される。当該特別な遠隔制御装置は前記照明装置の輝度を調整して、前記２．４Ｇ無線モジュールを介してオーディオ再生を制御することができる。しかしながら、この解決手段はブルートゥース機能を備える前記ユーザー装置を用いることほど便利ではない。一旦、前記特別の遠隔制御装置が失われると、前記調光及びオーディオ再生制御機能を呼び出すことはできない。第二に、前記オーディオ再生機能を備える照明装置で利用されるブルートゥース・モジュールは、大容量外部フラッシュ・ドライブ支える性能を持たなければならないであろう。しかしながら、大容量外部フラッシュ・ドライブ支えるブルートゥース・モジュールは多くの場合非常に高価である。さらに、前記照明装置を制御するネットワーク間オペレーティング・システム（Internetwork Operating system (ｉＯＳ)（登録商標））を用いるスマートフォン用にｉＯＳに適合する制御チップを追加することが必要である。これによりコストがさらに上昇する。
【０００５】
本願で開示されるオーディオ再生機能を備える証明装置及びオーディオ再生機能を備える証明装置の無線制御方法は、当該技術分野における前述の１又は複数の課題及びその他の課題の解決に関する。
【課題を解決するための手段】
【０００６】
本願開示の１つの側面には、オーディオ再生機能を備える無線制御の照明装置が含まれる。当該無線制御の照明装置には、照明組み立て部品、オーディオ再生モジュール、前記照明組み立て部品及びオーディオ再生モジュールに接続される第一ブルートゥース・モジュール、及び前記オーディオ再生モジュールに接続される第二ブルートゥース・モジュールが含まれる。前記第一ブルートゥース・モジュールは、外部装置からの制御信号であって、前記照明組み立て部品の制御用の第一の制御信号及び前記オーディオ再生モジュールの制御用の第二の制御信号を含む制御信号を受信するように構成される。前記第二ブルートゥース・モジュールは、前記オーディオ・データをオーディオ再生用のオーディオ再生モジュールに伝送する外部装置からオーディオ・データを受信するように構成される。前記オーディオ再生は、第一ブルートゥース・モジュールによって受信される第二の制御信号にしたがい制御される。
【０００７】
本願開示のもう１つの側面には、オーディオ再生機能を備える照明装置を無線制御するための方法が含まれる。当該方法において、第一ブルートゥース・モジュールは外部装置からの制御信号を受信する。当該制御信号には、照明組み立て部品の制御用の第一制御信号及びオーディオ再生モジュールの制御用の第二制御信号が含まれる。前記第一ブルートゥース・モジュールは、照明を制御するために前記第一制御信号を前記照明組み立て部品に伝送し、前記第二制御信号をオーディオ再生モジュール伝送する。第二ブルートゥース・モジュールは、前記外部装置からオーディオ・データを受信し、当該オーディオ・データを前記オーディオ再生モジュールに伝送する。前記照明組み立て部品の照明は前記第一制御信号にしたがって調整され、前記オーディオ・データのオーディオ再生は前記第二制御信号にしたがって制御される。
【０００８】
本願開示のその他の側面について、当業者は本願開示の記載、特許請求の範囲及び図面を参照して理解することができる。
【図面の簡単な説明】
【０００９】
以下の図面は、開示された様々な態様にしたがった説明のための単なる例示に過ぎず、本願開示の範囲を限定することを意図するものではない。
【００１０】
【図１】図１は、本願開示にしたがった、オーディオ再生機能を備える無線制御の照明装置の１例の構造図を示す。
【００１１】
【図２】図２は、本願開示にしたがった、オーディオ再生機能を備える無線制御の照明装置のもう１つの例の構造図を示す。
【００１２】
【図３】図３は、本願開示にしたがった、オーディオ再生機能を備える照明装置を無線制御するプロセスの１例のフローチャートを示す。
【発明を実施するための形態】
【００１３】
付随する図面で説明される、本願開示の具体的態様を詳細に参照する。可能な箇所では、図面全体について同じ又は同様の箇所を参照するために同じ参照番号を用いる。
【００１４】
図１は、開示態様にしたがった、オーディオ再生機能を備える無線制御の照明装置の１例の構造図を示す。図１に示すように、前記オーディオ再生機能を備える無線制御の照明装置は、照明組み立て部品１０１、第一ブルートゥース・モジュール１０２、第二ブルートゥース・モジュール１０３、及びオーディオ再生モジュール１０４を含むことができる。
【００１５】
前記第一ブルートゥース・モジュール１０２は、外部装置１０７からの制御信号を受信するように構成することができる。当該制御信号は、第一制御信号及び第二制御信号を含む。前記第一信号は前記照明組み立て部品１０１を制御するために用いられ、前記第二制御信号は前記オーディオ再生モジュール１０４を制御するために用いられる。特に、前記第一信号は前記照明組み立て部品１０１の輝度を制御するために用いられ、前記第二制御信号は前記オーディオ再生モジュール１０４の再生状態及び／又は再生音量を、例えば、前記オーディオ・データの中止（pause）、停止（stop）、逆戻し（rewind）、早送り（fast forward）、スキップ（skip）、記録、又は繰り返しのように制御し、及び／又は前記オーディオ再生の音量を調整するために用いられる。
【００１６】
前記外部装置１０７は、ブルートゥース・モジュールを備えるパーソナル・コンピュータ（PC）、ブルートゥース・モジュールを備えるモバイルフォン、ブルートゥース・モジュールを備えるオーディオ・プレーヤー、ブルートゥース・モジュールを備えるタブレット・コンピュータ、又はブルートゥース・モジュールを備える如何なるコンビュータ装置（computing device）でもあり得る。当業者は、本願発明で開示される前記外部装置１０７が単なる例示であることを理解すべきである。その他の適切な装置も含むことができる。
【００１７】
特に、前記第一ブルートゥース・モジュール１０２は、ＢＬＥ４．０モジュール又はＢＬＥ４．１モジュールのような、ブルートゥース低エネルギー（BLE）モジュールであり得る。古典的ブルートゥース技術と比較すると、ＢＬＥはかなり低減した電力消費及びコストを提供することを目的とする一方、同様の通信範囲を維持している。
【００１８】
１つの態様において、前記ＢＬＥ４．０モジュールが用いられる。オーディオ再生機能を備える複数の無線制御の照明装置がネットワークを形成するとき、当該複数の無線制御の照明装置は、（前記第一制御信号にしたがって）個別に前記照明を制御し、（前記第一制御信号にしたがって）前記再生状態／音量を制御するために、前記外部装置１０７からそれぞれ前記制御信号を受信する。
【００１９】
１つの態様において、前記ＢＬＥ４．１モジュールが用いられる。オーディオ再生機能を備える複数の無線制御の照明装置がネットワークを形成するとき、複数の無線制御の照明装置の１つは、前記外部装置１０７から前記制御信号を受信し、前記制御信号をＢＬＥ４．１モジュールを介してその他の無線制御の照明装置に伝送することができる。この様式において、前記その他の無線制御の照明装置の照明及び再生状態／音量は、前記１つの無線制御の照明装置から伝送された制御信号にしたがって制御することができる。
【００２０】
前記第二ブルートゥース・モジュール１０３は、前記外部装置１０７から前記オーディオ・データを受信し、受信したオーディオ・データを前記オーディオ再生モジュール１０４に伝送するように構成することができる。
【００２１】
特に、第二ブルートゥース・モジュール１０３は、先進オーディオ配信プロフィール（Advanced Audio Distribution Profile (A2DP)）ブルートゥース・モジュールであり得る。当該先進オーディオ配信プロフィールは、Ａ２ＤＰ源（例えば、電話又はコンピュータ）からＡ２ＤＰ受信装置（例えば、無線ヘッドセット又はステレオ・システム）へステレオ・オーディオの無線送信を可能とするブルートゥース・プルフィールである。
【００２２】
前記第二ブルートゥース・モジュール１０３により受信されるオーディオ・データ及び前記第一ブルートゥース・モジュール１０２により受信される制御信号は、同一の外部装置からのものであり、又は異なる外部装置からのものでもあり得る。１つの態様において、前記第二ブルートゥース・モジュール１０３により受信されるオーディオ・データ及び前記第一ブルートゥース・モジュール１０２により受信される制御信号は、同一の外部装置からのものである。
【００２３】
前記オーディオ再生モジュール１０４は、前記第一ブルートゥース・モジュール１０２により受信される第二制御信号に基づき、前記第二ブルートゥース・モジュール１０３により受信されるオーディオ・データを再生するように構成することができる。前記オーディオ再生モジュール１０４のその他のオーディオ操作は、音量制御を含むことができ、オーディオ・データの中止、停止、逆戻し、早送り、スキップ、記録、又は繰り返しを制御することができる。
【００２４】
任意に、前記オーディオ再生機能を備える無線制御の照明装置は、また、第一ブルートゥース・アンテナ１０５および第二ブルートゥース・アンテナ１０６を含むことができる。
【００２５】
前記第一ブルートゥース・モジュール１０２は、前記第一ブルートゥース・アンテナ１０５を介して、前記外部装置１０７から前記制御信号を受信するように構成することができる。前記第二ブルートゥース・モジュール１０３は、前記第二ブルートゥース・アンテナ１０６を介して、前記外部装置１０７から前記オーディオ・データを受信するように構成することができる。
【００２６】
図２は、本願開示態様にしたがった、オーディオ再生機能を備える無線制御の照明装置のもう１つの例の構造図を示す。
【００２７】
図２に示すように、前記オーディオ再生機能を備える無線制御の照明装置は、照明組み立て部品２０１、第一ブルートゥース・モジュール２０２、第二ブルートゥース・モジュール２０３、及びオーディオ再生モジュール２０４を含むことができる。前記照明組み立て部品２０１、前記第一ブルートゥース・モジュール２０２、前記第二ブルートゥース・モジュール２０３、及び前記オーディオ再生モジュール２０４は、それぞれ、図１に示された前記照明組み立て部品１０１、前記第一ブルートゥース・モジュール１０２、前記第二ブルートゥース・モジュール１０３、及び前記オーディオ再生モジュール１０４と同一または類似のものであり得る。さらに、図２に示される前記無線制御の照明装置は、また、アンテナ・スイッチ・モジュール２０５及び第三ブルートゥース・アンテナ２０６を含むことができる。
【００２８】
前記アンテナ・スイッチ・モジュール２０５の一方の端子は前記第三ブルートゥース・モジュール２０６に接続され、前記アンテナ・スイッチ・モジュール２０５の他方の端子は、それぞれ、第一ブルートゥース・モジュール２０２及び第二ブルートゥース・モジュール２０３に接続されている。前記アンテナ・スイッチ・モジュール２０５は、第一ブルートゥース・モジュール２０２及び第二ブルートゥース・モジュール２０３を前記第三ブルートゥース・アンテナ２０６に、選択的に接続するように構成することができる。すなわち、第一ブルートゥース・モジュール２０２及び第二ブルートゥース・モジュール２０３は、時間分割多重送信技術（time division multiplexing technique）を用いて前記アンテナ・スイッチ・モジュール２０５を介して前記第三ブルートゥース・アンテナ２０６を共有することができ、これにより、外部装置２０７から前記制御信号又は前記オーディオ・データを受信する。時間分割多重送信（TDM）技術は、時間枠を複数スロット（各信号ごとに１つのスロット）に分割することにより、２以上の独立した信号を共通の信号経路（path）上に伝送するために用いられる。すなわち、各信号は当該信号経路上に、交互パターンで時間分画としてのみ現れる。
【００２９】
本願に開示されるように、２つのブルートゥース・モジュールがオーディオ再生機能を備える無線制御の照明装置で用いられる。一方のブルートゥース・モジュールは、（例えば、個別に又は同時に前記照明および前記オーディオ再生を制御する）前記制御信号を受信する役割をもつのみであり、他方のブルートゥース・モジュールは前記オーディオ・データを受信する役割をもつのみである。したがって、高容量の外部フラッシュ・ドライブを支えることができなければならない前記ブルートゥース・モジュールを用いずに、及びｉＯＳに適合しなければならない制御チップを用いずに、前記ブルートゥース・モジュール機能を備えるユーザー装置は、第一制御信号及び第二制御信号にしたがって、前記照明装置の照明（例えば、輝度、色彩など）及びオーディオ再生の両方を制御することができる。
【００３０】
図３は、本願開示態様にしたがった、オーディオ再生機能を備える照明装置を無線制御する１例のプロセスのフローチャートを示す。
【００３１】
ステップ３１０において、第一ブルートゥース・モジュールは外部装置から制御信号を受信する。当該制御信号には、照明組み立て部品を制御するのに用いられる第一制御信号及びオーディオ再生モジュールを制御するのに用いられる第二制御信号が含まれる。
【００３２】
ステップ３２０において、第二ブルートゥース・モジュールは前記外部装置からオーディオ・データを受信し、当該オーディオ・データをオーディオ再生モジュールに伝送する。
【００３３】
特に、前記制御信号を、第一ブルートゥース・アンテナを介して、前記外部デバイスから前記第一ブルートゥース・モジュールへ伝送することができる。前記オーディオ・データを、第二ブルートゥース・アンテナを介して、前記外部装置から前記第二ブルートゥース・モジュールへ伝送することができる。
【００３４】
選択的に、前記制御信号及び前記オーディオ・データを、前記第三ブルートゥース・アンテナ及び時間分割多重送信技術を用いるアンテナ・スイッチ・モジュールを介して、前記第一ブルートゥース・モジュール及び前記第二ブルートゥース・モジュールへ伝送することができる。前記アンテナ・スイッチ・モジュールの一方の端子は前記第三ブルートゥース・モジュールに接続され、前記アンテナ・スイッチ・モジュールの他方の端子はそれぞれ、第一ブルートゥース・モジュール及び第二ブルートゥース・モジュールに接続されている。前記アンテナ・スイッチ・モジュールは、選択的に、前記第一ブルートゥース・モジュール及び前記第二ブルートゥース・モジュールを第三ブルートゥース・アンテナに接続するように構成されている。
【００３５】
ステップ３３０において、前記第一制御信号に基づき、照明組み立て部品の照明が制御される。
【００３６】
ステップ３４０において、前記第二制御信号に基づき、前記オーディオ再生モジュールは前記オーディオ・データを再生する。前記オーディオ再生モジュールのオーディオ操作は、オーディオ再生の開始、中止、停止、逆戻し、早送り、スキップ、記録、又は繰り返しが含むことができ、また音量制御も含むことができる。
【００３７】
例えば、前記照明組み立て部品から発せられた照明は、前記照明組み立て部品から発せられた光の輝度、色彩、及び／又は色彩温度を調節することにより制御することができる。前記照明組み立て部品の照明及びオーディオ・データの再生状態／音量は、共に又は独立して制御することができる。例えば、前記オーディオ再生モジュールによる前記オーディオ・データの再生中に、再生されているオーディオ・データに関する背景情報にしたがって、又は再生されているオーディオ・データの音量変化にしたがって、前記照明組み立て部品は、特定時点又は特定時間後における前記発光の色彩及び／又は色彩温度を、次第にほの暗くし又は次第に変化させるように制御することができる。
【００３８】
もう１つの例において、音楽又は何か特定のオーディオ・データが再生されているとき、前記照明はそれに応じて制御することができる。前記照明の雰囲気は、前記音楽スタイルにしたがって変化し得る。例えば、前記照明は、前記音楽の拍子（beats）にしたがって発光又は色彩を変化させることができる。前記照明組み立て部品から発せられた照明は、再生されている音楽にしたがって、又は音楽から独立して制御することができる。
【００３９】
さらに、オーディオ・データの異なる再生状態／音量は、前記照明制御に関して制御することができる。異なる再生状態は、異なる照明制御に対応することができる。例えば、前記オーディオ・データの再生を開始後、前記照明をより明るく、より明るく制御することができる。前記オーディオ再生が中止されるとき、前記照明は閃くように制御することができる。前記オーディオ再生が停止されるとき、前記照明は次第にほの暗くなるように制御することができる。前記オーディオ再生がスキップするとき、前記照明は違う色彩に変化させることができる。前記オーディオ再生が早送りされるとき、前記照明は速く色彩を変化させることができる。前記オーディオ再生が繰り返されるとき、前記照明は変化しないままにすることができる。
【００４０】
本願開示にしたがったいくつかの態様において、ユーザーは、統合オーディオ再生モジュールを備えるＬＥＤ照明／オーディオ放送装置において、照明及びオーディオ放送を共に又は独立して制御することができる。ユーザーは、前記オーディオ再生モジュールへのオーディオ提供を変化させることができる一方で、他方で同時に前記照明組み立て部品へ制御信号を送信することができる。前記ＬＥＤ照明／オーディオ放送装置は、２つのブルートゥース・モジュールを用いて制御信号及びオーディオ提供をそれぞれ受信するので、これら２つのタイプのユーザー入力は同時に送信及び受信できる。これらの２つのタイプのユーザー入力は、連続して送信又は受信する必要はない。前記制御信号及びオーディオ提供の受信において遅延は全くないであろう。例えば、ユーザーは、光をほの暗くしている間に、前記オーディオ再生モジュールを介して再生される音楽を変えることができる。前記第一ブルートゥース・モジュールは、ほの暗くするための制御信号を受信することができる。前記照明組み立て部品は、次に要求されたとおりに前記照明をほの暗くすることができる。前記第二ブルートゥース・モジュールは、同時に、受信されたオーディオ提供にしたがって、前記音楽を変えることができる。
【００４１】
さらに、前記ＬＥＤ照明装置は、前記オーディオ再生モジュールの操作と同様に、前記２つのブルートゥース・モジュールの操作を示すために様々な照明ディスプレイを提示することができる。例えば、前記２つのブルートゥース・モジュールが同時に２つの入力（制御入力及びオーディオ入力）を受信するとき、前記ＬＥＤ照明装置は入力の同時受信を示すために短時間のあいだ光の色彩又は輝度を変化させることができる。もう１つの例において、前記ＬＥＤ照明が調光されている過程（前記第一ブルートゥース・モジュールから受信された調光制御信号）にある間、前記第二ブルートゥース・モジュールは新しいオーディオ提供を受信することができる。前記ＬＥＤ照明装置は、前記第二ブルートゥース・モジュールを介して前記活動を示すために、照明色彩又は輝度の短い変化を提示することができる。
【００４２】
本願開示にしたがった複数の態様により、前記オーディオ再生モジュールがＬＥＤ照明装置と完全に統合し、ユーザーが前記システムの照明とオーディオ機能を同時に制御する性能を提供する。前記オーディオ再生モジュール、前記第一及び第二ブルートゥース・モジュール、並びに前記第一及び第二ブルートゥース・アンテナは、前記ＬＥＤ照明装置の本体に適合するようにデザインすることができる。
【００４３】
当業者は、さらに、本願開示の装置及び方法は電子ハードウエア、コンピュータ・ソフトウエア、又はそれらの組み合わせを用いて実施できることを評価できるだろう。ハードウエア及びソフトウエアのこの互換性を明確に説明するために、様々な説明的なモジュール及びステップが上述のように、それらの機能により一般的に記載されてきた。そのような機能がハードウエア又はソフトウエアとして実施されるか否かは、全体のシステムに課される特定の応用及びデザインの制限によっている。当業者は、それぞれ特定の応用のために変更された方法で前記記載の機能を実施できるが、そのような実施は本願発明の範囲内であると解釈すべきである。
【００４４】
本願発明に開示された態様に関連して記載される方法は、ハードウェアで直接、プロセッサにより実行されるソフトウエア・モジュールで、又はこれら２つの組み合わせで実施することができる。ソフトウエア・モジュールは、ＲＡＭメモリー、フラッシュ・メモリー、ＲＯＭメモリー、ＥＰＲＯＭメモリー、ＥＥＰＲＯＭメモリー、レジスター、ハードディスク、可動ディスク、ＣＤ−ＲＯＭ、又は当該技術分野で知られる如何なるほかの記憶媒体（storage medium）で構成することができる。前記プロセッサ及び前記記憶媒体は、応用−特異的集積回路（pplication-specific integrated circuit (ASIC)）に搭載することができる。
【００４５】
本願発明に開示される態様は単なる例示である。本願開示の態様のその他の応用、有利性、変更、修飾、又は等価物は、当業者にとって明らかであり、本願発明の範囲内での拡張として企図されるものである。
【産業上の利用可能性】
【００４６】
全ての請求項及び／又は明細書の範囲を制限することなく、本願開示の態様の産業上の利用性及び特定の有利な効果の実例が説明のために挙げられている。本願開示の態様の技術的解決手段への様々な変更、修飾又は等価物は、当業者に明らかであり得、本願開示に含まれ得る。
【００４７】
本願開示にしたがった態様において、２つのブルートゥース・モジュールは、オーディオ再生機能を備える無線制御の照明装置において用いられる。１つのブルートゥース・モジュールは、制御信号を受信する役割のみをもつことができ、他方のブルートゥース・モジュールは、オーディオ・データを受信する役割のみをもつことができる。ブルートゥース機能を備えるユーザー装置は、前記照明装置の照明と前記オーディオ再生の両方を所望の様式で制御することができる。さらに、本願開示にしたがった複数の態様は、高容量の外部フラッシュ・ドライブを支えるブルートゥース・モジュールを用いる必要がない。本願開示にしたがった複数の態様は、また、ｉＯＳに適合する制御チップを用いる必要もない。
【図１】
2017513173.tif 000003
【図２】
2017513173.tif 000004
【図３】
2017513173.tif 000005
【国際調査報告】
2017513173.tif 000006
2017513173.tif 000007